(57)【要約】【課題】  プリンターがある期間使用されないで放置されたとき等、水分蒸発によってノズル先端で生じる色材の固着による目詰まりを防止したインクジェット用のインクセットを提供すること。【解決手段】  インクジェットヘッドのワイピング機構を有するインクジェット記録装置に使用される、複数のインクを独立に有してなるインクジェット用のインクセットであって、インクＡ及びインクＢを少なくとも含むことを特徴とするインクセット。【選択図】  なし【特許請求の範囲】
【請求項１】
インクジェットヘッドのワイピング機構を有するインクジェット記録装置に使用される、複数のインクを独立に有してなるインクジェット用のインクセットであって、下記のインクＡ及びインクＢを少なくとも含むことを特徴とするインクセット。
（１）染料Ａと、該染料Ａの良溶媒と、該染料Ａの貧溶媒とを少なくとも含み、該染料Ａの良溶媒を合計５〜２０質量％含有し、該染料Ａの貧溶媒を合計６質量％以上含有することを特徴とするインクＡ。
（２）染料Ｂと、該染料Ａと該染料Ｂのどちらにも良溶媒である良溶媒とを少なくとも含み、該良溶媒を合計１５質量％以上含有し、該染料Ａ及び該染料Ｂの貧溶媒を含有していたとしても、該貧溶媒の含有量が合計５質量％未満であることを特徴とするインクＢ。
【請求項２】
上記貧溶媒の主溶媒が、ＨＯＣＨ2(ＣＨ2)nＣＨ2ＯＨ（ｎ＝１から６）で表される水溶性有機溶剤である請求項１に記載のインクセット。
【請求項３】
上記ＨＯＣＨ2(ＣＨ2)nＣＨ2ＯＨ（ｎ＝１から６）で表される水溶性有機溶剤が、１，５−ペンタンジオールである請求項２に記載のインクセット。
【請求項４】
インクＢが更に尿素を含有する請求項１〜３の何れか１項に記載のインクセット。
【請求項５】
染料Ａが下記構造Ｉで表される染料を含有する請求項１〜４の何れか１項に記載のインクセット。
2005298611.tif 000015
（式中、Ｒ1及びＲ2は各々独立に置換若しくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【請求項６】
染料Ａが下記構造IIで表される染料を含有する請求項１〜５の何れか１項に記載のインクセット。
2005298611.tif 000016
（上記式中、Ｍはアルカリ金属又はアンモニウムである。又、Ｒ7はＯＨ、ＣＯＯＭ、Ｒ8ＣＯＯＭ（Ｒ8はＣ４〜Ｃ９のアルキル基）を表し、ｘ、ｙ、ｚはそれぞれ独立に０、１、２、３又は４である。）
【発明の詳細な説明】
【技術分野】
【０００１】
本発明は、複数のインクを独立して有してなるインクジェット用のインクセットに関する。
【背景技術】
【０００２】
従来から、プリンターがある期間使用されないで放置されたとき等、水分蒸発によってノズル先端で生じる色材の固着による目詰まりが発生するという問題がある。そこで、従来のインクジェット記録方式に用いられるインクは、水を主成分とし、これに、ノズル内でのインクの乾燥防止、及びノズルの目詰まりによる固着防止等を目的として、グリコール等の水溶性高沸点溶剤を含有しているものが一般的である。
【０００３】
又、インク中にジカルボン酸のアルカリ塩を添加することで、ノズルの目詰まりによる固着防止を図ることが提案されている（特許文献１、特許文献２）。しかし、この方法では、ジカルボン酸を塩にするためのアルカリ成分の違いによって、良好な目詰り防止効果が得られにくいという問題がある。更に、インク中に不飽和ジカルボン酸の有機アミン塩とアルカノールアミンとを併有させることを特徴とするインクも提案されている（特許文献３）。しかし、この方法では、使用する色材の種類等によっては、効果が不十分となる場合がある。
【０００４】
又、これら固着性が改良されたインクのみを用いてインクセットを構成した場合、確かにこれらのインクについては固着性が改善されているものの、インクジェット用インクとして要求される他の性能具備のため、特に色材との相性によって、これらの技術を導入できないインクを含むインクセットとする場合、これらの技術を導入できないインクが固着してしまい、インクセットとしては、固着性能が不十分となるということもあった。
【０００５】
【特許文献１】特開昭５８−１８３７６８号公報
【特許文献２】特開平１−１２９０８１号公報
【特許文献３】特開平５−１２５３０７号公報
【発明の開示】
【発明が解決しようとする課題】
【０００６】
従って、本発明の目的は、プリンターがある期間使用されないで放置されたとき等、水分蒸発によってノズル先端で生じる色材の固着による目詰まりを防止したインクジェット用のインクセットを提供することである。
【課題を解決するための手段】
【０００７】
上記目的は以下の本発明によって達成される。即ち、本発明は、インクジェットヘッドのワイピング機構を有するインクジェット記録装置に使用される、複数のインクを独立に有してなるインクジェット用のインクセットであって、下記のインクＡ及びインクＢを少なくとも含むことを特徴とするインクセットを提供する。
（１）染料Ａと、該染料Ａの良溶媒と、該染料Ａの貧溶媒とを少なくとも含み、該染料Ａの良溶媒を合計５〜２０質量％含有し、該染料Ａの貧溶媒を合計６質量％以上含有することを特徴とするインクＡ。
（２）染料Ｂと、該染料Ａと該染料Ｂのどちらにも良溶媒である良溶媒とを少なくとも含み、該良溶媒を合計１５質量％以上含有し、該染料Ａ及び該染料Ｂの貧溶媒を含有していたとしても、該貧溶媒の含有量が合計５質量％未満であることを特徴とするインクＢ。
【０００８】
上記本発明のインクセットにおいては、上記貧溶媒の主溶媒が、ＨＯＣＨ2（ＣＨ2）nＣＨ2ＯＨ（ｎ＝１から６）で表される水溶性有機溶剤であること；上記ＨＯＣＨ2（ＣＨ2）nＣＨ2ＯＨ（ｎ＝１から６）で表される水溶性有機溶剤が、１，５−ペンタンジオールであること；インクＢが更に尿素を含有することが好ましい。
【０００９】
更に上記本発明のインクセットにおいては、染料Ａが下記構造Ｉで表される染料を含有することが好ましい。
2005298611.tif 000002
（式中、Ｒ1及びＲ2は各々独立に置換若しくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【００１０】
更に上記本発明のインクセットにおいては、染料Ａが下記構造IIで表される染料を含有することが好ましい。
2005298611.tif 000003
（上記式中、Ｍはアルカリ金属（例えばＬｉ、Ｎａ、Ｋ、Ｒｂ、Ｃｓ、Ｆｒ等）又はアンモニウムである。又、Ｒ7はＯＨ、ＣＯＯＭ、Ｒ8ＣＯＯＭ（Ｒ8はＣ４〜Ｃ９のアルキル基）を表し、ｘ、ｙ、ｚはそれぞれ独立に０、１、２、３又は４である。）
【発明の効果】
【００１１】
本発明によれば、上記要件を満たしていれば、添加剤等との相性が敏感な色材等であっても、インクＡ又はインクＢの何れかとして使用できるという広い自由度があり、インクジェット用のインクセットとして効果的に固着を防止できるインクセットを提供できる。
又、本発明のインクセットは、染料等、インク構成材料の使用の選択幅が広く、更に、従来のインク構成材料の使用の選択幅が狭いが、固着性は良好なインクのみから構成されるインクセットと同等の固着性を有することを可能にする。
【発明を実施するための最良の形態】
【００１２】
次に発明を実施するための最良の形態を挙げて本発明を更に詳しく説明する。本発明のインクセットは、インクジェットヘッドのワイピング機構を有するインクジェット記録装置に使用される、複数のインクを独立に有してなるインクジェット用のインクセットであって、下記のインクＡ及びインクＢを少なくとも含むことを特徴としている。
（１）染料Ａと、該染料Ａの良溶媒と、該染料Ａの貧溶媒とを少なくとも含み、該染料Ａの良溶媒を合計５〜２０質量％含有し、該染料Ａの貧溶媒を合計６質量％以上含有することを特徴とするインクＡ。
（２）染料Ｂと、該染料Ａと該染料Ｂのどちらにも良溶媒である良溶媒とを少なくとも含み、該良溶媒を合計１５質量％以上含有し、該染料Ａ及び該染料Ｂの貧溶媒を含有していたとしても、該貧溶媒の含有量が合計５質量％未満であることを特徴とするインクＢ。
【００１３】
以下、本発明を構成する材料等について夫々説明する。
ここで、上記貧溶媒及び良溶媒の定義であるが、本発明においては、２５℃環境下で粉状の染料を２４時間、密閉状態で攪拌させた場合に染料が５質量％未満しか溶解しない溶媒を貧溶媒と定義し、５質量％以上溶解する溶媒を良溶媒と定義する。染料がどれくらい溶解しているかについては、例えば、水に染料を１質量％、５質量％、１０質量％と溶解させた染料水溶液でその染料の吸光度を測ることにより検量線を作り、そこから例えば染料を１０質量％含有させ上記要件で溶解させた溶液を濾過したものの吸光度を測定することにより、吸光度の比率から簡単に求めることができる。
【００１４】
一般的に貧溶媒を多く含有するインクは、色材が析出しやすく固着性は悪くなる。このため、貧溶媒を多く含むインクＡは、インクＢと比較した場合に固着性が悪い傾向にある。ただし、例えば、間欠吐出の安定性向上のため、特定の貧溶媒を含有させるという技術がある。染料等の種類によっては、間欠吐出の安定性向上のため、このような技術を採用せざるを得ない場合がある。そこで、本発明は、このような固着性が悪い傾向にあるインクＡであっても、インクジェットヘッドのワイピング機構を有するインクジェット記録装置に使用される、複数のインクを独立に有してなるインクジェット用のインクセットとして、インクＢと組み合わせて使用することにより、固着性が悪い傾向にあるインクＡの固着性をも向上させ、インクセットとしての固着性を向上させることを目的とする。
【００１５】
本発明者らが鋭意検討した結果、単に固着性が悪いインクを固着性が良いインクと組み合わせることだけでは、固着性が悪いインクの固着性は改善せず、本発明のインクＡ及びインクＢの関係を有するインクを組み合わせることによるインクセットであれば、固着性が悪い傾向にあるインクＡの固着性をも向上させ、インクセットとしての固着性を向上させることができるということが確認できた。
【００１６】
本発明のインクセットで使用されるインクＡは、染料Ａと、該染料Ａの良溶媒と、該染料Ａの貧溶媒とを少なくとも含み、該染料Ａの良溶媒を合計５〜２０質量％含有し、該染料Ａの貧溶媒を合計６質量％以上含有することを特徴とする。ここで、染料Ａ、該染料Ａの良溶媒、及び該染料Ａの貧溶媒は、夫々単独で用いることも複数用いることも可能である。又、染料Ａ、該染料Ａの良溶媒、及び該染料Ａの貧溶媒は、全て特に限定されるものではなく、どのような染料も当該染料Ａとして用いることが可能であり、当該染料に対して良溶媒となる溶剤であれば、どのような溶剤であっても該染料Ａの良溶媒として用いることが可能であり、又、当該染料と貧溶媒となる溶剤であれば、どのような溶剤であっても該染料Ａの貧溶媒として用いることが可能である。
【００１７】
ここで、染料Ａの好ましい含有量は、質量基準で０．１〜１０％である。又、当該良溶媒は、質量基準で５〜２０％の範囲内であれば、本発明の効果が得られるが、より好ましい含有量は、質量基準で５〜１５％である。当該良溶媒が質量基準で２０％以下としているのは、これより多い場合は、例えば、上記の間欠吐出の安定性等の固着性以外のインクジェット特性を劣化させる場合があるためである。更に、当該貧溶媒は、６質量％以上含有すれば、本発明の効果が得られるが、より好ましい含有量は、質量基準で６〜２０％である。当該貧溶媒の含有量が６質量％未満では、間欠吐出性の安定性の効果が充分に得られず、２０質量％を超えた場合は、本発明の固着防止効果及び間欠吐出性の安定性の効果が充分に得られにくくなるためである。
【００１８】
本発明のインクセットで使用されるインクＢは、染料Ｂと、該染料Ａと該染料Ｂのどちらにも良溶媒である良溶媒とを少なくとも含み、該良溶媒を合計１５質量％以上含有し、該染料Ａ及びＢの貧溶媒を含有していたとしても、該貧溶媒の含有量は合計５質量％未満であることを特徴とする。ここで、染料Ｂ、該染料Ａと該染料Ｂのどちらにも良溶媒である良溶媒、及び該染料Ａ及びＢの貧溶媒は、夫々単独で用いることも複数用いることも可能である。又、染料Ｂ、及び該染料Ａと該染料Ｂのどちらにも良溶媒である良溶媒は、どちらも特に限定されるものではなく、どのような染料も当該染料Ｂとして用いることが可能であり、上記染料Ａと当該染料Ｂのどちらに対しても良溶媒となる溶剤であれば、どのような溶剤であっても当該良溶媒として用いることが可能である。又、同様に、該染料Ａ及びＢの貧溶媒についても限定されるものではない。
【００１９】
ここで、染料Ｂの好ましい含有量は、質量基準で０．１〜１０％である。又、インクＢの良溶媒は、質量基準で１５％以上含有すれば、本発明の効果が得られるが、より好ましい含有量は、質量基準で１５〜５０％である。当該良溶媒が質量基準で１５％未満であると本発明の固着防止効果が得られず、５０％を超えると本発明の固着防止効果が得られにくくなるためである。又、その理由については不明であるが、上記インクＡ及びＢに使用される貧溶媒の主溶媒がＨＯＣＨ2(ＣＨ2)nＣＨ2ＯＨ（ｎ＝１から６）で表される水溶性有機溶剤、特に、１，５−ペンタンジオールである場合、本発明は特に効果的である。更に、その理由についても不明であるが、インクＢに更に尿素を含有する場合、本発明は特に効果的である。
【００２０】
更に、その理由については不明であるが、染料Ａが下記構造Ｉで表される染料を含有する場合、本発明は特に効果的である。
2005298611.tif 000004
（式中、Ｒ1及びＲ2は各々独立に置換若しくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【００２１】
ここで、上記染料の好ましい例として、下記表１に記載の染料が挙げられるが、当然、本発明は、以下の例示の染料に限られるわけではない。
2005298611.tif 000005
【００２２】
更に、その理由については不明であるが、染料Ａが下記構造IIで表される染料を含有する場合も、本発明は特に効果的であり、構造Ｉ及び構造IIで表される染料両方を含有する場合は、更に効果的である。
2005298611.tif 000006
（上記式中、Ｍはアルカリ金属（例えばＬｉ、Ｎａ、Ｋ、Ｒｂ、Ｃｓ、Ｆｒ等）又はアンモニウムである。又、Ｒ7はＯＨ、ＣＯＯＭ、Ｒ8ＣＯＯＭ（Ｒ8はＣ４〜Ｃ９のアルキル基）を表し、ｘ、ｙ、ｚはそれぞれ独立に０、１、２、３又は４である。）
【００２３】
本発明のインクＡ及びＢは、前記の染料Ａ及び／又は染料Ｂと良溶媒と貧溶媒とを水性媒体に混合及び溶解して調製する。該水性媒体は水単独又は水と前記の良溶媒及び／又は貧溶媒以外の水溶性有機溶剤との混合物であり得る。本発明のインクに含有される水の含有量は、インク全質量に対して、好ましくは５０〜９５質量％の範囲である。更に、本発明のインクは、所望の物性値を有するインクとするために、上記した成分の他に必要に応じて、界面活性剤、消泡剤、防腐剤、防カビ剤等を添加することができる。
【００２４】
前記良溶媒又は貧溶媒以外の前記水溶性有機溶剤としては、具体的には、例えば、尿素、エチレン尿素等の尿素誘導体、トリメチロールプロパン等が挙げられる。上記のごとき水溶性有機溶剤は、単独でも或いは混合物としても使用することができる。
【００２５】
又、本発明のインクセットは、インクジェットヘッドのワイピング機構を有するインクジェット記録装置に使用されることを特徴とする。
本発明は、インクＡ及びインクＢをワイピング動作、印字によるミスト等によりワイパー上で混色させ、当該インク混合物をワイピング動作でインクＡ及びインクＢのノズル部に接触させることにより、固着回復させるという思想を元に完成させたものである。このため、インクＡ及びインクＢは、同一ワイパーによってワイピングされることが好ましく、インクＡとインクＢのノズル列が隣接している場合が更に好ましい。
【００２６】
以下にワイピング機構を有するインクジェット記録装置の例を挙げるが、本発明は、当該ワイピング機構を有するインクジェット記録装置に限定されるものではない。尚、本例においては、ワイピング方向は、キャリッジ移動方向と垂直方向となっているが、ワイピング方向がキャリッジ移動方向と平行方向である場合も本発明に含まれる。
【００２７】
図１は本発明のインクを用いるインクジェット記録装置の一実施例の概略構成を示す模式的斜視図であり、図２は図１中の記録手段の吐出口面に形成された複数の吐出口列の配置を矢印Ａ方向から見て示す模式的底面図であり、図３は図２の吐出口面を複数のワイパー（ブレード）でワイピングする状態を示す模式的底面図である。
【００２８】
インクジェット画像形成装置としてのインクジェット記録装置の全体構成を示す図１において、不図示のオートシートフィーダ（自動給紙装置）から１枚ずつ分離されて記録装置内に供給された記録用紙等の記録媒体３は、不図示の搬送モータ（紙送りモータ）により回転駆動される搬送ローラ（紙送りローラ）１と該搬送ローラに圧接されて従動回転するピンチローラ２との間に挟持され、該搬送ローラ１の回転を制御することにより、記録部に対向する位置に配設されたプラテン４の表面に案内されて紙送り（副走査）される。
【００２９】
記録手段としての記録ヘッド７を搭載したキャリッジ５は、前記搬送ローラ１と平行に装置本体に設置されたガイドシャフト６によって往復移動可能に案内支持されている。前記キャリッジ５は、左右のプーリ（不図示）の間に張架されたタイミングベルト（不図示）に連結されており、不図示のキャリッジモータによって一方のプーリ（モータプーリ）を回転駆動することで前記タイミングベルトを駆動することにより、前記ガイドシャフト６に沿って案内されながら記録媒体（記録用紙）３の搬送方向と直交する主走査方向に移動する。このキャリッジ５（記録ヘッド７）の移動に同期して該記録ヘッドのインク吐出部を記録データに基づいて駆動することにより、選択された吐出口からインク滴を下方に吐出し、記録媒体としての記録用紙３に画像を形成（記録）していく。
【００３０】
前記キャリッジ５には記録手段としての記録ヘッド７が搭載されており、該記録ヘッド７にはインク貯留部としてのインクタンクが着脱可能に取り付けられている。前記記録ヘッド７には、異なる色のインクを貯留する複数のインクタンク、即ちインクタンク８、インクタンク９、インクタンク９ａ、インクタンク１０、インクタンク１０ａ、インクタンク１１の６個のインクタンクが装着されている。そして、前記記録ヘッド７の吐出口面（図示の底面）１２には、図２及び図３に示すように、前記各インク色に対応する吐出口列（吐出口群）、即ちインクの吐出口列１３、１３ａ、１３ｂ、１４、１５、１６が形成されており、それぞれの吐出口列に対して前記対応するインクタンクから対応する色のインクが供給される。
【００３１】
前記記録ヘッド７の移動経路に対応する記録領域（図示の例ではプラテン４の範囲に略対応している）の記録用紙搬送方向下流側には、前記搬送ローラ１と同期して回転駆動される排紙ローラ１７が配設されており、記録された記録用紙３は前記排紙ローラ１７と拍車１８との間に挟持されて矢印Ｂ方向に排紙されていく。前記キャリッジ５の移動範囲内であって、前記記録領域（例えばプラテン４の範囲）を外れた所定の位置には回復系ユニット１９が配設されている。この回復系ユニット１９の位置は、通常、記録ヘッド７のメンテナンス位置（例えば回復処理を行う位置）及びホームポジション（非記録時又は待機時の位置）に一致させてある。
【００３２】
前記記録手段としてのインクジェットヘッド（記録ヘッド）７は、熱エネルギーを利用してインクを吐出するインクジェット記録手段であって、熱エネルギーを発生するための電気熱変換体を備えたものである。又、前記記録ヘッド７は、前記電気熱変換体により印加される熱エネルギーによってインク内に膜沸騰を生じさせ、その時に生じる気泡の成長、収縮による圧力変化を利用して吐出口よりインクを吐出させ、記録（プリント）を行うものである。
【００３３】
図１において、前記回復系ユニット１９には、図１中の矢印Ｃ方向（ワイピング方向）に駆動されるワイパーホルダ（ブレードホルダ）２０が設けられるとともに、該ワイパーホルダ２０上には記録ヘッド７の吐出口面１２を拭き取り清掃するための複数のワイパー（ブレード）２１が取り付けられている。そこで、記録動作等によって記録ヘッド７の吐出口面１２にインクが付着した場合には、キャリッジ５が前記回復系ユニット１９と対向する位置へ移動し、不図示の回復系モータによって前記ワイパーホルダ２０上のワイパー（ワイパー群）２１を矢印Ｃ方向（図３の矢印方向）に駆動することにより、記録ヘッド７の吐出口面１２を拭き取り清掃（ワイピング）するように構成されている。
【実施例】
【００３４】
次に、実施例及び比較例を挙げて本発明をより具体的に説明するが、本発明はその要旨を超えない限り、下記実施例により限定されるものではない。尚、文中、「部」及び「％」とあるのは特に断りのない限り質量換算である。
【００３５】
［実施例１］
表２に示した組成の各成分を充分に混合溶解した後、ポアサイズ０．２μｍフィルター（富士フィルム製）で加圧濾過し、インク１〜６をそれぞれ調製し、インクセットを構成した。尚、インク４、５、６は、夫々インク１、２、３と同一インクである。ここでは、インク１、４が本発明におけるインクＡに、インク２、３、５、６が本発明におけるインクＢに該当する。
【００３６】
又、表３に当該インクに含有される溶剤が当該インクに使用される染料に対して貧溶媒となるか良溶媒となるか、及び貧溶媒と良溶媒の総量を示した。尚、ここで使用した４種の溶剤（グリセリン、１，５−ペンタンジオール、エチレングリコール、２−プロパノール）が良溶媒となるか貧溶媒となるかについては、ここで使用した３種の染料（下記構造Ｉ−１の染料のリチウム塩とナトリウム塩の混合物（モル比  Ｌｉ塩：Ｎａ塩＝２：１）、Ｃ．Ｉ．ダイレクトブルー１９９、Ｃ．Ｉ．アシッドレッド２８９）において一致し、どれか一つの染料で良溶媒となる上記溶剤は、残りの２種の染料に対しても良溶媒となり、どれか一つの染料で貧溶媒となるものは、残りの２種の染料に対しても貧溶媒となった。このため、この表の貧溶媒と良溶媒についての判断は、今回使用の３染料全てに共通して該当する。
【００３７】
2005298611.tif 000007
【００３８】
2005298611.tif 000008
【００３９】
2005298611.tif 000009
【００４０】
［実施例２］
表４に示した組成の各成分を充分に混合溶解した後、ポアサイズ０．２μｍフィルター（富士フィルム製）で加圧濾過し、インク７〜１２をそれぞれ調製し、インクセットを構成した。尚、インク１０、１１、１２は、夫々インク７、８、９と同一インクである。ここでは、インク７、１０が本発明におけるインクＡに、インク８、９、１１、１２が本発明におけるインクＢに該当する。
又、表５に当該インクに含有される溶剤が当該インクに使用される染料に対して貧溶媒となるか良溶媒となるか、及び貧溶媒と良溶媒の総量を示した。
【００４１】
2005298611.tif 000010
【００４２】
2005298611.tif 000011
【００４３】
［比較例１］
表６に示した組成の各成分を充分に混合溶解した後、ポアサイズ０．２μｍフィルター（富士フィルム製）で加圧濾過し、インク１３〜１８をそれぞれ調製し、インクセットを構成した。尚、インク１３、１５、１７は上記インク１と、インク１４、１６、１８は上記インク７と同一インクである。ここでは、インク１３〜１８まで全てのインクが本発明におけるインクＡに該当する。
又、表７に当該インクに含有される溶剤が当該インクに使用される染料に対して貧溶媒となるか良溶媒となるか、及び貧溶媒と良溶媒の総量を示した。
【００４４】
2005298611.tif 000012
【００４５】
2005298611.tif 000013
【００４６】
＜固着性評価＞
上記実施例１、２及び比較例１のインクセットをＢＪＦ９００（キヤノン製）用のインクセットとし、初期印字を行い印字が問題なくできることを確認した後、当該ヘッドをプリンターから取り出し、温度３５℃、湿度１０％の環境下で２週間放置した。その後、ヘッドを取り付け、何回の回復動作で固着が回復し、問題なく印字するかを以下の基準で評価を行い、表８の結果を得た。
尚、ヘッドへのインクの装着位置であるが、実施例１のインクセットは、インク１から６まで左側から順に装着し、実施例２のインクセットは、インク７から１２まで左側から順に装着し、比較例１のインクセットは、インク１３から１８まで左側から順に装着させた。
○：インクセットを構成する全てのインクで、回復動作３回までに回復した。
×：インクセットを構成するインク中、回復動作３回までに回復しないものがあった。
【００４７】
2005298611.tif 000014
【産業上の利用可能性】
【００４８】
本発明によれば、プリンターがある期間使用されないで放置されたとき等、水分蒸発によってノズル先端で生じる色材の固着による目詰まりを防止したインクジェット用のインクセットを提供することができる。
【図面の簡単な説明】
【００４９】
【図１】本発明のインクを用いるインクジェット記録装置の一実施例の概略構成を示す模式的斜視図である。
【図２】図１中の記録手段の吐出口面に形成された複数の吐出口列の配置を矢印Ａ方向から見て示す模式的底面図である。
【図３】図２の吐出口面を複数のワイパー（ブレード）でワイピングする状態を示す模式的底面図である。
【符号の説明】
【００５０】
１：搬送ローラ（紙送りローラ）
２：ピンチローラ
３：記録媒体（記録用紙）
４：プラテン
５：キャリッジ
６：ガイドシャフト
７：記録手段（記録ヘッド）
８：インクタンク
９：インクタンク
９ａ：インクタンク
１０：インクタンク
１０ａ：インクタンク
１１：インクタンク
１２：吐出口面
１３：インクの吐出口列
１３ａ：インクの吐出口列
１３ｂ：インクの吐出口列
１４：インクの吐出口列
１５：インクの吐出口列
１６：インクの吐出口列
１７：排紙ローラ
１８：拍車
１９：回復系ユニット
２０：ワイパーホルダ
２１：ワイパー
【図１】
2005298611.tif 000017
【図２】
2005298611.tif 000018
【図３】
2005298611.tif 000019